(57)【要約】【課題】画質劣化を防ぐことができる液晶表示装置を提供する。【解決手段】この発明にかかる液晶表示装置は、液晶表示パネル８と、液晶表示パネル８のバックライト光源７と、逐次入力される第１映像信号のフレームレートをｎ倍（ｎは２以上の整数）した第２映像信号を、各々ｎ回ずつ繰り返し液晶表示パネル８に出力するフレームレート変換部３と、バックライト光源７の点灯および消灯のタイミングを制御するバックライト制御部であるバックライトデューティおよび位相制御部５とを備え、バックライトデューティおよび位相制御部５は、１回目の第２映像信号に対応する第１タイミングでバックライト光源７を消灯し、２回目以降の前記第２映像信号に対応する第２タイミングでバックライト光源７を点灯する。【選択図】図２
2010243660.tif 000002
【特許請求の範囲】
【請求項１】
液晶表示パネルと、
前記液晶表示パネルのバックライト光源と、
逐次入力される第１映像信号のフレームレートをｎ倍（ｎは２以上の整数）した第２映像信号を、各々ｎ回ずつ繰り返し前記液晶表示パネルに出力するフレームレート変換部と、
前記バックライト光源の点灯および消灯のタイミングを制御するバックライト制御部と、
を備え、
前記バックライト制御部は、１回目の前記第２映像信号に対応する第１タイミングで前記バックライト光源を消灯し、２回目以降の前記第２映像信号に対応する第２タイミングで前記バックライト光源を点灯する、
液晶表示装置。
【請求項２】
前記第１タイミングは、１回目の前記第２映像信号に対し前記液晶表示パネルの応答開始から応答完了までの期間を含み、
前記第２タイミングは、前記応答完了後の期間を含む、
請求項１に記載の液晶表示装置。
【請求項３】
前記バックライト光源は、ＬＥＤバックライト、冷陰極線管（ＣＣＦＬ）、熱陰極線管（ＨＣＦＬ）のいずれかを有する、
請求項１または２に記載の液晶表示装置。
【請求項４】
前記バックライト光源は、ＥＬ（Ｅｌｅｃｔｒｏ  Ｌｕｍｉｎｅｓｃｅｎｓｅ）である、
請求項１または２に記載の液晶表示装置。
【請求項５】
逐次入力される第１映像信号から入力垂直同期信号を検出する同期検出部をさらに備え、
前記バックライト制御部は、前記入力垂直同期信号をトリガとして前記制御をする、
請求項１〜４のいずれかに記載の液晶表示装置。
【請求項６】
前記フレームレート変換部は、前記入力垂直同期信号のフレームレートを前記ｎ倍にした出力垂直同期信号を出力し、
前記バックライト制御部は、前記出力垂直同期信号をトリガとして前記制御をする、
請求項５に記載の液晶表示装置。
【請求項７】
前記フレームレート変換部は、前記液晶表示パネルを駆動するＤＥ（Ｄａｔａ  Ｅｎａｂｌｅ）信号を生成し、
前記バックライト制御部は、前記ＤＥ信号をトリガとして前記制御をする、
請求項１〜４のいずれかに記載の液晶表示装置。
【請求項８】
前記液晶表示パネルの背面に配置される導光板をさらに備え、
前記バックライト光源は、前記液晶表示パネルの辺縁に配置される複数のエッジライトであり、
前記複数のエッジライトは、それぞれ独立に前記消灯および前記点灯が可能であり、
前記第１タイミングは、１回目の前記第２映像信号に対する、前記複数のエッジライトそれぞれに対応した前記液晶表示パネルの各区画の応答開始から応答完了までの期間を含む、
請求項１〜７のいずれかに記載の液晶表示装置。
【請求項９】
前記導光板は、光透過特性が前記区画を規定する所定の領域で減衰する、
請求項８に記載の液晶表示装置。
【請求項１０】
前記導光板は、前記区画に対応する複数の領域に分割されている、
請求項８または９に記載の液晶表示装置。
【請求項１１】
前記導光板は、前記分割された領域間では光が透過しない、
請求項１０に記載の液晶表示装置。
【請求項１２】
前記導光板は、前記分割された領域の境界部分での色ムラ、輝度ムラを抑制する補償フィルムをさらに備える、
請求項１０または１１に記載の液晶表示装置。
【請求項１３】
前記バックライト光源は、前記液晶表示パネルの背面に配置される複数のダイレクトバックライトであり、
前記複数のダイレクトバックライトは、それぞれ独立に消灯および点灯が可能であり、
前記第１タイミングは、１回目の前記第２映像信号に対する、前記複数のダイレクトバックライトそれぞれに対応した前記液晶表示パネルの各区画の応答開始から応答完了までの期間を含む、
請求項１〜７のいずれかに記載の液晶表示装置。
【請求項１４】
前記フレームレート変換部から出力される第２映像信号を１垂直同期信号期間よりも高速に前記液晶表示パネルに書き込む映像信号高速書き込み部をさらに備える、
請求項１〜１３のいずれかに記載の液晶表示装置。
【請求項１５】
前記液晶表示パネルは、グループ分けされた複数のゲートドライバーと、前記複数のゲートドライバーの各々に対応する領域に前記第２映像信号の書き込みを行う複数のソースドライバーとをさらに備え、
前記複数のソースドライバーは、前記ゲートドライバーの各グループに対応する領域に当該領域に応じた前記第２映像信号を同時に書き込む、
請求項１〜１４のいずれかに記載の液晶表示装置。
【請求項１６】
前記第２タイミングに応じて、前記バックライト光源に供給される電流値を制御する電流制御部をさらに備える、
請求項１〜１５のいずれかに記載の液晶表示装置。
【請求項１７】
前記バックライト光源は複数設けられ、
前記バックライト制御部は、前記第２タイミングに応じて、前記点灯する前記バックライト光源の個数を切り換える、
請求項１〜７のいずれかに記載の液晶表示装置。
【請求項１８】
前記液晶表示パネルは、当該パネルの液晶に対し、前記第２映像信号に対応する電圧より大きな電圧をかけオーバードライブするオーバードライブ部を備え、
前記オーバードライブは、前記第１タイミングで行われる、
請求項１〜１７のいずれかに記載の液晶表示装置。
【請求項１９】
前記第２映像信号に対し、対応する電圧より大きな電圧を導出しオーバードライブするオーバードライブ部をさらに備え、
前記オーバードライブは、前記第１タイミングで行われる、
請求項１〜１７のいずれかに記載の液晶表示装置。
【請求項２０】
逐次入力される前記第１映像信号に代えて、前記第１映像信号のフレームレートを２倍にし、かつ、隣接フレーム間の補間信号がその１フレームおきに挟み込まれた補間映像信号を前記フレームレート変換部へ出力する補間回路をさらに備え、
前記フレームレート変換部は、前記第１映像信号に代えて前記補間映像信号を用いる、請求項１〜１９のいずれかに記載の液晶表示装置。
【発明の詳細な説明】
【技術分野】
【０００１】
本発明は、液晶表示装置に関し、特に画質劣化を防ぐための技術に関する。
【背景技術】
【０００２】
液晶表示装置（ＬＣＤ）は、高精細な表示が得られ、かつ低消費電力、省スペースといった特徴を有しており、コンピュータモニタやテレビ表示装置といった様々な用途においてＣＲＴからの代替が加速されている。しかしＬＣＤは、ＣＲＴに比べて動画表示における画質が十分でないことから、動画品質の向上が求められている。
【０００３】
ＬＣＤの動画表示上の問題は、一つには、ＬＣＤが、次のフレームの画像情報に書き換えられるまで表示を続けるホールド型駆動であることに起因する。ＬＣＤとして多く用いられているＴＦＴ−ＬＣＤは、液晶に電界を印加することにより蓄えられた電荷が次に電界を印加するまで比較的高い割合で保持される。このため、ＬＣＤの各画素は次のフレームの画素情報に基づく電界印加により書き換えられるまで表示し続ける。一方、電子ビームを走査して蛍光体を発光させて表示を行うＣＲＴ表示装置においては、各画素の発光はインパルス状となる。したがって、ＬＣＤはＣＲＴに比べて画像表示光の時間周波数特性が低く、それにともない空間周波数特性も低下して動画表示の動きぼけが生じる。
【０００４】
この課題に対処するための従来の技術として、特許文献１に、入力映像信号のフレームレートをＮ倍に変換して、入力映像信号の１フレーム期間内における少なくとも一つの垂直表示期間に、黒表示信号あるいは映像信号の振幅を調整したゲイン調整信号を挿入することにより、インパルス応答に近づけ、動きぼけを改善する手段が公開されている。
【先行技術文献】
【特許文献】
【０００５】
【特許文献１】特開２００２−２１５１１１号公報
【発明の概要】
【発明が解決しようとする課題】
【０００６】
しかしながら、特許文献１においては、垂直表示期間単位で画像信号と黒信号または映像信号の振幅を調整したゲイン調整信号とを切り替え出力しているため、画像信号から黒信号またはゲイン調整信号への変化および黒信号またはゲイン調整信号から画像信号への変化のいずれにおいても、その変化の動きが視認されることにより、結果的に動画ぼけ改善の効果が下がる。
【０００７】
すなわち、黒表示信号および映像信号の振幅を調整したゲイン調整信号のいずれを挿入した場合においても、画質劣化が生じ、結果的にＣＲＴのようなインパルス応答に比べ動画表示の品位が落ちるという問題点があった。
【０００８】
本発明は、以上の問題点を解決するためになされたものであり、動画表示の画質劣化を防ぐことができる液晶表示装置を提供することを目的とする。
【課題を解決するための手段】
【０００９】
この発明にかかる液晶表示装置は、液晶表示パネルと、前記液晶表示パネルのバックライト光源と、逐次入力される第１映像信号のフレームレートをｎ倍（ｎは２以上の整数）した第２映像信号を、各々ｎ回ずつ繰り返し前記液晶表示パネルに出力するフレームレート変換部と、前記バックライト光源の点灯および消灯のタイミングを制御するバックライト制御部とを備え、前記バックライト制御部は、１回目の前記第２映像信号に対応する第１タイミングで前記バックライト光源を消灯し、２回目以降の前記第２映像信号に対応する第２タイミングで前記バックライト光源を点灯する。
【発明の効果】
【００１０】
この発明にかかる液晶表示装置は、液晶表示パネルと、前記液晶表示パネルのバックライト光源と、逐次入力される第１映像信号のフレームレートをｎ倍（ｎは２以上の整数）した第２映像信号を、各々ｎ回ずつ繰り返し前記液晶表示パネルに出力するフレームレート変換部と、前記バックライト光源の点灯および消灯のタイミングを制御するバックライト制御部とを備え、前記バックライト制御部は、１回目の前記第２映像信号に対応する第１タイミングで前記バックライト光源を消灯し、２回目以降の前記第２映像信号に対応する第２タイミングで前記バックライト光源を点灯することにより、第１タイミングにおいて液晶表示パネルにおける液晶の変化が完了し、当該液晶の変化が視聴者の目の網膜に残像として残ることがなく動きぼけとして認識されないため、画質劣化を防ぐことができる。
【図面の簡単な説明】
【００１１】
【図１】実施の形態１に係る液晶表示装置における主要部ブロック図である。
【図２】実施の形態１に係る液晶表示装置における各動作を説明するタイミングチャートである。
【図３】実施の形態１に係る液晶表示装置における主要部ブロック図である。
【図４】実施の形態２に係る液晶表示装置における主要部ブロック図である。
【図５】実施の形態２に係る液晶表示装置における各動作を説明するタイミングチャートである。
【図６】実施の形態３に係る液晶表示装置における導光板の模式図である。
【図７】実施の形態３に係る液晶表示装置における導光板の模式図である。
【図８】実施の形態３に係る液晶表示装置における導光板の模式図である。
【図９】実施の形態３に係る液晶表示装置における各動作を説明するタイミングチャートである。
【図１０】実施の形態４に係る液晶表示装置における導光板の模式図である。
【図１１】実施の形態４に係る液晶表示装置における導光板の模式図である。
【図１２】実施の形態４に係る液晶表示装置における導光板の模式図である。
【図１３】実施の形態４に係る液晶表示装置における各動作を説明するタイミングチャートである。
【図１４】実施の形態５に係る液晶表示装置におけるダイレクトバックライトの模式図である。
【図１５】実施の形態５に係る液晶表示装置における各動作を説明するタイミングチャートである。
【図１６】実施の形態６に係る液晶表示装置における主要部ブロック図である。
【図１７】実施の形態６に係る液晶表示装置における各動作を説明するタイミングチャートである。
【図１８】実施の形態７に係る液晶表示装置における主要部ブロック図である。
【図１９】実施の形態７に係る液晶表示装置における液晶表示パネル構成図である。
【図２０】実施の形態７に係る液晶表示装置における各動作を説明するタイミングチャートである。
【図２１】実施の形態８に係る液晶表示装置における主要部ブロック図である。
【図２２】実施の形態８に係る液晶表示装置における各動作を説明するタイミングチャートである。
【図２３】実施の形態９に係る液晶表示装置における主要部ブロック図である。
【図２４】実施の形態１０に係る液晶表示装置における主要部ブロック図である。
【図２５】実施の形態１０に係る液晶表示装置における主要部ブロック図である。
【図２６】実施の形態１０に係る液晶表示装置における別の構成例を示す主要部ブロック図である。
【発明を実施するための形態】
【００１２】
＜Ａ．実施の形態１＞
＜Ａ−１．構成＞
以下、本発明の実施の形態１について、図１および図２にて詳細に説明する。図１は本実施の形態１に係る液晶表示装置における主要部ブロック図、図２は本実施の形態１に係る液晶表示装置における各動作を説明するタイミングチャートである。
【００１３】
図１に示されるように、本実施の形態１に係る液晶表示装置は、入力される第１映像信号に対応する入力同期信号の周波数を検出する同期検出部１と、同期検出部１で検出した同期信号に基づいて制御信号を出力し、各部の動作制御を行うＣＰＵ４と、第１映像信号の画像をフレーム単位、例えば１フレーム分記憶するフレームメモリ部２と、フレームメモリ部２と第１映像信号、後述する第２映像信号を送受信し、またＣＰＵ４からの制御信号に基づいて逐次入力される第１映像信号のフレームレートをｎ倍に変換した第２映像信号をｎ回ずつ繰り返し出力するフレームレート変換部３と、フレームレート変換部３から出力される第２映像信号が入力される液晶表示パネル８と、ＣＰＵ４からの制御信号に基づいてバックライト光源７の点灯および消灯のタイミングを制御するバックライトデューティおよび位相制御部５と、バックライトデューティおよび位相制御部５からの出力信号に基づきバックライト光源７を駆動するバックライト駆動部６と、バックライト駆動部６からの信号に基づいて液晶表示パネル８のバックライトを点灯および消灯するバックライト光源７とを備えている。
【００１４】
なおバックライト光源７は、ＬＥＤバックライト、冷陰極線管（ＣＣＦＬ）、熱陰極線管（ＨＣＦＬ）のいずれかを有することができる。
【００１５】
またバックライト光源７は、ＥＬ（Ｅｌｅｃｔｒｏ  Ｌｕｍｉｎｅｓｃｅｎｓｅ）でもよい。
【００１６】
＜Ａ−２．動作＞
ここでは入力映像信号である第１映像信号（６０Ｈｚ）を２倍（１２０Ｈｚ）に時間軸圧縮する場合について説明する。ＣＰＵ４は、同期検出部１にて検出された垂直同期信号および水平同期信号に基づいてフレームレート変換用の制御信号を生成する。
【００１７】
フレームレート変換部３は、ＣＰＵ４からの制御信号に基づいて、図２（ａ）に示すように、第１映像信号（６０Ｈｚ）の１フレーム分の画像をフレームメモリ部２へ記憶した後、図２（ｂ）に示すように、２倍のフレームレート（１２０Ｈｚ）で映像信号を第１フィールドおよび第２フィールドの第２映像信号として繰り返し読み出すことで、垂直周期が１／１２０秒に時間軸圧縮された第２映像信号を液晶表示パネル８に対して連続して出力する。
【００１８】
すなわち、フレームレート変換部３は、本発明に係るフレームレート変換手段として機能するものであり、液晶表示装置へ入力された第１表示周期（１／６０秒）を有する第１映像信号（入力映像信号）を１／２倍に時間軸圧縮するとともに各フレームを２回ずつ第１フィールドおよび第２フィールドとして繰り返して読み出すことにより第１表示周期の１／２倍の第２表示周期（１／１２０秒）を有する第２映像信号へ変換する。
【００１９】
液晶表示パネル８はフレームレート変換部３から入力された垂直周期が１／１２０秒に時間軸圧縮された第２映像信号に基づき動作する。図２（ｂ）において、液晶表示パネル８には、各フレームにおいて第１フィールドおよび第２フィールドの映像信号としてフレームレート変換部３により生成・読み出しされた同一の第２映像信号が入力される。これにしたがい、液晶表示パネル８における液晶の動作としては、図２（ｃ）に示すように第１フィールドでは入力される第２映像信号に応じて液晶は応答し、第２フィールドでは第１フィールドと同じ第２映像信号が入力されているので、実質的には液晶は応答せずそのままの状態を保持する。
【００２０】
わかりやすいように奇数フレームでは全面白信号、偶数フレームでは全面黒信号である場合を例として説明すると、図２（ｃ）のように、第１フレームの第１フィールドの映像信号入力に対しては液晶は白になるように応答し、第１フレームの第２フィールドの映像信号入力に対しては液晶はそのまま白の状態を保持する。さらに、次の第２フレームの第１フィールドの映像信号入力に対しては液晶は黒になるように応答し、第２フレームの第２フィールドの映像信号入力に対しては液晶はそのまま黒の状態を保持する。この動作を第３フレーム、第４フレーム・・・と繰り返す。
【００２１】
また、液晶表示パネル８は各フィールドの開始付近から表示最上部の１ライン目の液晶が駆動され、順次下方の液晶へと駆動が進み、各フィールドの終了付近で表示部最下部の最終ラインの液晶が駆動され、各フィールドとして１枚の画像が完成し、液晶表示パネル８にその画像が表示される。つまり、１ライン目の液晶と最終ラインの液晶とでは図２（ｃ）に示すように液晶の応答開始に時差が生じる。また、液晶の特性として液晶は瞬時に応答完了できず、完全に応答するまで数ミリ秒の時間がかかる。
【００２２】
すなわち、各第１フィールドの第１ライン目の液晶の応答開始から最終ラインの液晶の応答終了までは１枚の画像としては液晶表示パネル８のどこかの液晶が応答つまり変化していることになる。
【００２３】
この液晶が応答すなわち変化している状態の時にバックライトが点灯していると、その変化が目の網膜上に残像として残り、この残像が動きぼけを認識させることで画質劣化を生じさせる。つまり、動きぼけを認識させず画質劣化を生じさせないようにするには、液晶が応答すなわち変化している期間はバックライトは消灯させ、液晶の応答が完了してからバックライトを点灯させればよい。
【００２４】
すなわち、図２（ｃ）の各フレームの１回目の第２映像信号の領域である第１フィールドの１ライン目の液晶応答開始時から第１フィールドの最終ラインの液晶応答終了時までの間をバックライト光源を消灯させ（第１タイミング）、各フレームの第１フィールドの最終ライン液晶の応答が完了した時点から、次のフレームの第１フィールドの１ライン目の液晶の応答が開始するまでの間、つまり２回目以降の第２映像信号の領域においてバックライトを点灯させれば（第２タイミング）液晶の応答すなわち変化が目の網膜に残像として残ることがなく、すなわち動きぼけがなくなり画質劣化を防ぐことができる。
【００２５】
ＣＰＵ４は上記のようなバックライト光源の点灯および消灯タイミングを同期検出部１で検出される入力垂直同期信号を基に決め、バックライトデューティおよび位相制御部５に制御信号を出力するものである。
【００２６】
バックライトデューティおよび位相制御部５はＣＰＵ４からの制御信号により動作し、バックライト駆動部６を制御する。
【００２７】
バックライト駆動部６はバックライトデューティおよび位相制御部５からの制御信号により、バックライト光源７を点灯または消灯するように駆動し、バックライト光源７は最終的に動きぼけが生じないよう最適に制御されたタイミングにより点灯または消灯を繰り返す。
【００２８】
なお、本実施の形態では、同期検出部１で検出した同期信号に基づいて（トリガとして）ＣＰＵ４がバックライト光源７の点灯または消灯の制御を行うこととしているが、フレームレート変換部３によって生成され液晶表示パネル８を駆動する入力垂直同期信号をｎ倍の周波数にした出力垂直同期信号に基づいて（トリガとして）ＣＰＵ４がバックライトの点灯または消灯を制御するようにして良い。
【００２９】
同様に、フレームレート変換部３によって生成され液晶表示パネル８を駆動するＤＥ（Ｄａｔａ  Ｅｎａｂｌｅ）信号に基づいて（トリガとして）ＣＰＵ４がバックライトの点灯または消灯を制御するようにして良い。
【００３０】
＜Ａ−３．効果＞
この発明にかかる実施の形態１によれば、液晶表示装置において、液晶表示パネル８と、液晶表示パネル８のバックライト光源７と、逐次入力される第１映像信号のフレームレートをｎ倍（ｎは２以上の整数）した第２映像信号を、各々ｎ回ずつ繰り返し液晶表示パネル８に出力するフレームレート変換部３と、バックライト光源７の点灯および消灯のタイミングを制御するバックライト制御部であるバックライトデューティおよび位相制御部５とを備え、バックライトデューティおよび位相制御部５は、１回目の第２映像信号に対応する第１タイミングでバックライト光源７を消灯し、２回目以降の前記第２映像信号に対応する第２タイミングでバックライト光源７を点灯することで、第１タイミングである液晶表示パネル８における液晶が応答すなわち変化している間にバックライト光源７を消灯し、第２タイミングである当該液晶が応答すなわち変化していない間にバックライト光源７を点灯するようにすることができ、当該液晶の変化が視聴者の目の網膜に残像として残ることがなく動きぼけとして認識されないため、画質劣化を防ぐことができる。
【００３１】
また、黒表示信号挿入などほかのインパルス化手段に比べ、より本来のインパルス型駆動に近づけることができるので、画質劣化を防ぐことができる。
【００３２】
また、この発明にかかる実施の形態１によれば、液晶表示装置において、１回目の第２映像信号に対応する第１タイミングは、１回目の第２映像信号に対し液晶表示パネル８の応答開始から応答完了までの期間を含み、第２映像信号に対応する第２タイミングは、応答完了後の期間を含むことで、第１タイミングである液晶表示パネル８における液晶が応答すなわち変化している間にバックライト光源７を消灯し、第２タイミングである当該液晶が応答すなわち変化していない間にバックライト光源７を点灯するようにすることができ、当該液晶の変化が視聴者の目の網膜に残像として残ることがなく動きぼけとして認識されないため、画質劣化を防ぐことができる。
【００３３】
また、この発明にかかる実施の形態１によれば、液晶表示装置において、バックライト光源７は、ＬＥＤバックライト、冷陰極線管（ＣＣＦＬ）、熱陰極線管（ＨＣＦＬ）のいずれかを有することで、バックライト光源７の点灯、消灯を１回目の第２映像信号に対応する第１タイミング、および２回目以降の第２映像信号に対応する第２タイミングで制御し、液晶表示パネル８における液晶の変化が視聴者の目の網膜に残像として残ることがなく動きぼけとして認識されないため、画質劣化を防ぐことができる。
【００３４】
また、この発明にかかる実施の形態１によれば、液晶表示装置において、バックライト光源７は、ＥＬ（Ｅｌｅｃｔｒｏ  Ｌｕｍｉｎｅｓｃｅｎｓｅ）であることで、バックライト光源７の点灯、消灯を１回目の第２映像信号に対応する第１タイミング、および２回目以降の第２映像信号に対応する第２タイミングで制御し、液晶表示パネル８における液晶の変化が視聴者の目の網膜に残像として残ることがなく動きぼけとして認識されないため、画質劣化を防ぐことができる。
【００３５】
また、この発明にかかる実施の形態１によれば、液晶表示装置において、逐次入力される第１映像信号から入力垂直同期信号を検出する同期検出部１をさらに備え、バックライト制御部であるバックライトデューティおよび位相制御部５は、入力垂直同期信号をトリガとしてバックライト光源７の点灯および消灯のタイミングを制御することで、液晶表示パネル８における液晶の変化が視聴者の目の網膜に残像として残ることがなく動きぼけとして認識されないため、画質劣化を防ぐことができる。
【００３６】
また、この発明にかかる実施の形態１によれば、液晶表示装置において、フレームレート変換部３は、入力垂直同期信号のフレームレートをｎ倍にした出力垂直同期信号を出力し、バックライト制御部であるバックライトデューティおよび位相制御部５は、出力垂直同期信号をトリガとしてバックライト光源７の点灯および消灯のタイミングを制御することで、液晶表示パネル８における液晶の変化が視聴者の目の網膜に残像として残ることがなく動きぼけとして認識されないため、画質劣化を防ぐことができる。
【００３７】
また、この発明にかかる実施の形態１によれば、液晶表示装置において、フレームレート変換部３は、液晶表示パネル８を駆動するＤＥ（Ｄａｔａ  Ｅｎａｂｌｅ）信号を生成し、バックライト制御部であるバックライトデューティおよび位相制御部５は、ＤＥ信号をトリガとしてバックライト光源７の点灯および消灯のタイミングを制御することで、液晶表示パネル８における液晶の変化が視聴者の目の網膜に残像として残ることがなく動きぼけとして認識されないため、画質劣化を防ぐことができる。
【００３８】
なお、本実施の形態１では、同期検出部１で検出した同期信号に基づいてＣＰＵ４が各部の動作制御を行う構成としているが、図３に示すように、同期検出部１で検出した同期信号に基づいて各部がＣＰＵ４を介さずに動作する構成としても良い。
【００３９】
＜Ｂ．実施の形態２＞
＜Ｂ−１．構成＞
次に、本発明の実施の形態２について、図４および図５を用いて説明する。
【００４０】
図４は、図１の構成に、逐次入力される第１映像信号の隣接する前後フレームから補間信号（フレーム２’３’）をつくりだし、倍速変換（入力が６０Ｈｚである場合は１２０Ｈｚへ変換）をした後、その補間信号を前後フレーム（第１映像信号を倍速変換したフレーム）の間に入れた補間映像信号をフレームレート変換部３に出力する補間回路１９を追加したものである。
【００４１】
＜Ｂ−２．動作＞
フレームレート変換部３は補間回路１９において生成した補間信号を含んだ倍速変換後の補間映像信号を、さらに２倍（ここでは２４０Ｈｚ）のフレームレートに変換し、時間軸圧縮された映像信号を第１フィールドおよび第２フィールドの映像信号として繰り返し液晶表示パネル８に出力する。
【００４２】
以降の動作は実施の形態１と同様であり、そのタイミングチャートを図５に示す。
【００４３】
図５から分かるように、６０Ｈｚの第１映像信号（入力映像信号）の代わりに、１２０Ｈｚにフレームレートを変換した映像信号と、隣接するその映像信号の間に、補間回路１９で生成した補間信号（例えば図５（ａ）の２段目のフレーム２’３’）を挟み込み、補間映像信号としてフレームレート変換部３に出力する。フレームレート変換部３は、補間映像信号をさらに倍速変換した２４０Ｈｚの映像信号を第２映像信号として用いる。液晶表示パネル８における液晶の応答、その応答に合わせたバックライト光源７の制御タイミングについては、実施の形態１におけるものと同様である。
【００４４】
＜Ｂ−３．効果＞
この発明にかかる実施の形態２によれば、液晶表示装置において、逐次入力される第１映像信号に代えて、第１映像信号のフレームレートを２倍にし、かつ、隣接フレーム間の補間信号がその１フレームおきに挟み込まれた補間映像信号をフレームレート変換部３へ出力する補間回路１９をさらに備え、フレームレート変換部３は、第１映像信号に代えて補間映像信号を用いることで、補間信号による滑らかな動きであるとともに動きぼけのない、画質を得ることができる。
【００４５】
＜Ｃ．実施の形態３＞
＜Ｃ−１．構成＞
次に、本発明の実施の形態３について、図６〜９を用いて説明する。
【００４６】
一般的に、エッジライトバックライトシステムは、液晶表示パネルの上下辺縁部に設けられたエッジライト（上部）とエッジライト（下部）の発する光を透過させ面発光に変換するために導光板を液晶表示パネルの背面に設けている。
【００４７】
図６（ａ）および図６（ｂ）は本実施の形態３の液晶表示装置における導光板の模式図であり、図６（ａ）は液晶表示パネル側から見た図、図６（ｂ）は横方向から見た図である。
【００４８】
図６（ａ）（ｂ）に示すように、液晶表示パネル８（図示せず）の背面に導光板１１ａが配置され、液晶表示パネル８の辺縁である上下に複数のエッジライト（上部、下部）９，１０が配置される。エッジライト９，１０はそれぞれ独立に点灯、消灯が可能である。
【００４９】
導光板１１ａは図６（ｃ）に示すように光透過率が中心線に向かうにつれて減衰し、エッジライト（上部）９からの光は中心線よりも下方向に透過しないよう、また、エッジライト（下部）１０からの光は中心線よりも上方向に透過しないように設計されている。つまり、エッジライト９，１０それぞれに対応する区画が存在する。
【００５０】
また、同時に、図６（ｄ）に示すように、液晶表示パネル方向の光放射量が、補償フィルムと組み合わせた状態で全体に均一な特性をもつよう設計されている。
【００５１】
＜Ｃ−２．動作＞
こうした特性を持つ導光板１１ａを用いれば、エッジライト（上部）９の発する光は液晶表示パネルの中心線より下部に届かないため、液晶表示部の中心線より下部の液晶が応答している時にエッジライト（上部）９を点灯しても、エッジライト（上部）９の発する光は液晶表示パネルの中心線より下部に影響がなく、さらに、エッジライト（下部）１０の発する光は液晶表示パネルの中心線より上部に届かないため、液晶表示部の中心線より上部の液晶が応答している時にエッジライト（下部）１０を点灯しても、エッジライト（下部）１０の発する光は液晶表示パネルの中心線より上部に影響を与えない。
【００５２】
よってこのとき、バックライト光源７の点灯および消灯タイミングは図９のように設定しても、それぞれのエッジライト（上部、下部）に対応するバックライトの領域で点灯、消灯のタイミングを設定すれば、対応する領域の液晶の応答すなわち液晶が変化している期間に点灯することがない。つまり図９（ｃ）に示すように、１回目の第２映像信号に対する、エッジライト９，１０それぞれに対応した液晶表示パネル８の各区画の応答開始（１ライン目液晶応答、中間部液晶応答、最終ライン液晶応答それぞれの開始）から応答完了までの期間に、対応するそれぞれのエッジライト９，１０が消灯するため、それぞれの区画（上部、下部）の液晶が変化している期間には、エッジライト９，１０それぞれが、それぞれの第１タイミングで消灯していることになる。
【００５３】
よって、図９のバックライト点灯期間と図２のバックライト点灯期間を比較するとわかるように、より点灯時間を長くでき、すなわちより輝度が高い状態を得ることができる。つまり、エッジライト９，１０それぞれに対応した液晶表示パネル８の各区画の応答開始から応答完了までの期間にすることにより、実施の形態１の図２に示す場合より点灯時間をさらに長くでき、すなわちより輝度が高い状態を得ることができる。
【００５４】
また、図７（ｂ）のような、光透過特性が区画を規定する領域で減衰する（図７（ｃ））特性をもつ形状を導光板１１ｂに用いても同様な効果が期待できる。
【００５５】
また、中央付近に境界をもち、分割した上部、下部のうち片側のライトの光が反対側の半面の導光板に届かないように工夫した図８（ｂ）（ｃ）に示した導光板１１ｃも同様な効果が期待できる。
【００５６】
図８（ｂ）のような導光板１１ｃの場合、補償フィルムは分割した領域の境界部分での色ムラ、輝度ムラを抑制する効果を有することができる。
【００５７】
＜Ｃ−３．効果＞
この発明にかかる実施の形態３によれば、液晶表示装置において、液晶表示パネル８の背面に配置される導光板１１をさらに備え、バックライト光源７は、液晶表示パネル８の上下に配置される複数のエッジライト９，１０であり、複数のエッジライト９，１０は、それぞれ独立に消灯および点灯が可能であり、１回目の第２映像信号に対応する第１タイミングは、１回目の第２映像信号に対する、複数のエッジライト９，１０それぞれに対応した液晶表示パネル８の各区画の応答開始から応答完了までの期間を含むことで、エッジライト９，１０それぞれに対応した液晶表示パネル８の各区画の応答開始から応答完了までの期間にすることにより、実施の形態１の図２に示す場合より点灯時間をさらに長くでき、すなわちより輝度が高い状態を得ることができる。よって、消灯による輝度の低下を抑制することができる。
【００５８】
また、この発明にかかる実施の形態３によれば、液晶表示装置において、導光板１１ａ，１１ｂは、光透過特性が区画を規定する所定の領域で減衰することで、他の区画に光による影響を与えず、それぞれの区画に対応するエッジライト９，１０を点灯、消灯することができ、点灯時間を長くできるため輝度の低下を抑制できる。
【００５９】
また、この発明にかかる実施の形態３によれば、液晶表示装置において、導光板１１ｃは、区画に対応する複数の領域に分割されていることで、他の区画に光による影響を与えず、それぞれの区画に対応するエッジライト９，１０を点灯、消灯することができ、点灯時間を長くできるため輝度の低下を抑制できる。
【００６０】
また、この発明にかかる実施の形態３によれば、液晶表示装置において、導光板１１ｃは、分割された領域間では光が透過しないことで、他の区画に光による影響を与えず、それぞれの区画に対応するエッジライト９，１０を点灯、消灯することができ、点灯時間を長くできるため輝度の低下を抑制できる。
【００６１】
また、この発明にかかる実施の形態３によれば、液晶表示装置において、導光板１１ｃは、分割された領域の境界部分での色ムラ、輝度ムラを抑制する補償フィルムをさらに備えることで、液晶表示パネル８における光放射量を全体に均一にすることができる。
【００６２】
＜Ｄ．実施の形態４＞
＜Ｄ−１．構成＞
次に、本発明の実施の形態４について、図１０〜１３を用いて説明する。
【００６３】
図１０（ａ）および図１０（ｂ）は本実施の形態４の液晶表示装置における導光板の模式図であり、液晶表示パネルの左右辺縁部の片側もしくは両側にエッジライト（サイド）１２を設けたもので、図１０（ａ）は液晶表示パネル側から見た図、図１０（ｂ）は横方向から見た図である。導光板１１ｄは図１０（ｃ）に示すように光透過率が境界部に向かうにつれて減衰し、それぞれのエッジライト（サイド）１２からの光は境界線より透過しないように設計されている。つまり、エッジライト１２のうちのそれぞれに対応する区画が存在する。また、それぞれの区画で、それぞれ独立に点灯、消灯が可能である。
【００６４】
また、同時に、図１０（ｄ）に示すように、液晶表示パネル方向の光放射量が、補償フィルムと組み合わせた状態で全体に均一な特性をもつよう設計されている。ここでは一例として３つの領域に区分された場合を示す。
【００６５】
また、同時に、図１０（ｄ）に示すように、液晶表示パネル方向の光放射量が、補償フィルムと組み合わせた状態で全体に均一な特性をもつよう設計されている。
【００６６】
＜Ｄ−２．動作＞
こうした特性を持つ導光板１１ｄを用いれば、それぞれのエッジライト（サイド）１２の発する光は液晶表示パネルのその領域以外の部分に届かないため、その領域以外の部分の液晶表示部の液晶が応答している時にその領域のエッジライト（サイド）１２を点灯しても、その領域のエッジライト（サイド）１２の発する光はその領域以外の部分の液晶表示部に影響を与えない。
【００６７】
このとき、バックライト光源７の点灯および消灯タイミングを図１３のように設定しても、バックライト光源７は液晶の応答すなわち変化している期間に点灯することがない。つまり図１３（ｃ）に示すように、１回目の第２映像信号に対する、エッジライト１２のうちのそれぞれの区画に対応した液晶表示パネル８の応答開始（１ライン目液晶応答、１／３部液晶応答、２／３液晶応答、最終ライン液晶応答それぞれの開始）から応答完了までの期間に、エッジライト１２のそれぞれが消灯するため、それぞれの区画の液晶が変化している期間には、エッジライト１２のそれぞれの区画が、それぞれの第１タイミングで消灯していることになる。
【００６８】
すなわち、図１３のバックライト点灯期間と図２のバックライト点灯期間を比較するとわかるように、より点灯時間を長くでき、すなわちより輝度が高い状態を得ることができる。つまり、エッジライト１２のうちのそれぞれに対応した液晶表示パネル８の各区画の応答開始から応答完了までの期間にすることにより、実施の形態１の図２に示す場合より点灯時間をさらに長くでき、すなわちより輝度が高い状態を得ることができる。
【００６９】
また、図１１（ｂ）のような、光透過特性が区画を規定する領域で減衰する（図１１（ｃ））特性をもつ形状を導光板１１ｅに用いても同様な効果が期待できる。
【００７０】
また、それぞれのエッジライトとの間に境界をもち、ほかの領域にライトの光が届かないように工夫した図１２（ｂ）（ｃ）に示した導光板も同様な効果が期待できる。
【００７１】
図１２（ｂ）のような導光板１１ｆの場合、補償フィルムは分割した領域の境界部分での色ムラ、輝度ムラを抑制する効果を有することができる。
【００７２】
＜Ｄ−３．効果＞
この発明にかかる実施の形態４によれば、液晶表示装置において、液晶表示パネル８の背面に配置される導光板１１をさらに備え、バックライト光源７は、液晶表示パネル８の辺縁に配置される複数のエッジライト１２であり、複数のエッジライト１２は、それぞれ独立に消灯および点灯が可能であり、１回目の第２映像信号に対応する第１タイミングは、１回目の第２映像信号に対する、複数のエッジライト１２それぞれに対応した液晶表示パネル８の各区画の応答開始から応答完了までの期間を含むことで、エッジライト１２のうちのそれぞれに対応した液晶表示パネル８の各区画の応答開始から応答完了までの期間にすることにより、実施の形態１の図２に示す場合より点灯時間をさらに長くでき、すなわちより輝度が高い状態を得ることができる。よって、消灯による輝度の低下を抑制することができる。
【００７３】
また、この発明にかかる実施の形態４によれば、液晶表示装置において、導光板１１ｄ，１１ｅは、光透過特性が区画を規定する所定の領域で減衰することで、他の区画に光による影響を与えず、それぞれの区画に対応するエッジライト１２を点灯、消灯することができ、点灯時間を長くできるため輝度の低下を抑制できる。
【００７４】
また、この発明にかかる実施の形態４によれば、液晶表示装置において、導光板１１ｆは、区画に対応する複数の領域に分割されていることで、他の区画に光による影響を与えず、それぞれの区画に対応するエッジライト１２を点灯、消灯することができ、点灯時間を長くできるため輝度の低下を抑制できる。
【００７５】
また、この発明にかかる実施の形態４によれば、液晶表示装置において、導光板１１ｆは、分割された領域間では光が透過しないことで、他の区画に光による影響を与えず、それぞれの区画に対応するエッジライト１２を点灯、消灯することができ、点灯時間を長くできるため輝度の低下を抑制できる。
【００７６】
また、この発明にかかる実施の形態４によれば、液晶表示装置において、導光板１１ｆは、分割された領域の境界部分での色ムラ、輝度ムラを抑制する補償フィルムをさらに備えることで、液晶表示パネル８における光放射量を全体に均一にすることができる。
【００７７】
なお、実施の形態３における上下のエッジライト９，１０との組み合わせの実施も可能である。
【００７８】
また、ここでは一例として３つの領域に区分された場合を示しているが、それ以上の複数領域に区分した場合も同様であり、区分した領域数が多くなるにしたがって、バックライト光源７の点灯期間は長くなり、輝度アップの効果はあがる。
【００７９】
＜Ｅ．実施の形態５＞
＜Ｅ−１．構成＞
次に、本発明の実施の形態５について、図１４および図１５を用いて説明する。
【００８０】
一般的に、ダイレクトバックライトシステムは、光源としてのバックライト光源を液晶表示パネル８の背面に設けている。
【００８１】
図１４は、本実施の形態５の液晶表示装置におけるダイレクトバックライトの模式図である。図１４は液晶表示パネル８を正面から見た図であり、ダイレクトバックライト１３は液晶表示パネル８の背面に配置されたバックライト光源である。ここでは一例として４領域に配置され、ダイレクトバックライト１３それぞれが、対応する区画を有する場合を示している。
【００８２】
＜Ｅ−２．動作＞
次に、動作について説明する。それぞれのダイレクトバックライト１３は液晶の応答、すなわち変化するタイミングに応じて独立に点灯および消灯するよう制御される。このときのタイミングチャートを図１５に示す。
【００８３】
このとき、ダイレクトバックライト１３の点灯および消灯タイミングは図１５のように設定しても、それぞれの領域のダイレクトバックライト１３で点灯、消灯のタイミングを設定すれば、対応する領域の液晶の応答すなわち液晶が変化している期間に点灯することがない。つまり図１５（ｃ）に示すように、１回目の第２映像信号に対する、ダイレクトバックライト１３のそれぞれの領域に対応した液晶表示パネル８の応答開始（１ライン目液晶応答、１／４部液晶応答、２／４部液晶応答、３／４部液晶応答、最終ライン液晶応答それぞれの開始）から応答完了までの期間に、対応するそれぞれのダイレクトバックライト１３が消灯するため、それぞれの区画の液晶が変化している期間には、ダイレクトバックライト１３それぞれが、それぞれの第１タイミングで消灯していることになる。
【００８４】
すなわち、図１５のバックライト点灯期間と図２のバックライト点灯期間を比較するとわかるように、１回目の第２映像信号に対応する第１タイミング（すなわち消灯時間）がダイレクトバックライト１３のそれぞれに対応した液晶表示パネル８の各区画の応答開始から応答完了までの期間にすることにより、図２の場合より点灯時間を長くでき、すなわちより輝度が高い状態を得ることができる。
【００８５】
＜Ｅ−３．効果＞
この発明にかかる実施の形態５によれば、液晶表示装置において、バックライト光源７は、液晶表示パネル８の背面に配置される複数のダイレクトバックライト１３であり、複数のダイレクトバックライト１３は、それぞれ独立に消灯および点灯が可能であり、１回目の第２映像信号に対応する第１タイミングは、１回目の第２映像信号に対する、複数のダイレクトバックライト１３それぞれに対応した液晶表示パネル８の各区画の応答開始から応答完了までの期間を含むことで、ダイレクトバックライト１３のそれぞれに対応した液晶表示パネル８の各区画の応答開始から応答完了までの期間にすることにより、実施の形態１の図２に示す場合より点灯時間をさらに長くでき、すなわちより輝度が高い状態を得ることができる。よって、消灯による輝度の低下を抑制することができる。
【００８６】
また本実施の形態５では一例として４つの領域に区分された場合を示しているが、２つまたはそれ以上の複数領域に区分した場合も同様であり、区分した領域数が多くなるにしたがって、バックライト光源７の点灯期間は長くなり、輝度アップの効果はあがる。
【００８７】
＜Ｆ．実施の形態６＞
＜Ｆ−１．構成＞
次に、本発明の実施の形態６について、図１６および図１７を用いて説明する。
【００８８】
図１６は本実施の形態５の液晶表示装置に係るブロック図で、図１のフレームレート変換部３と液晶表示パネル８の間にフレームレート変換部３から出力される第２映像信号を高速で読み出し、かつ、液晶表示パネル８にその第２映像信号を通常より高速に、すなわち１垂直同期信号期間よりも高速に書き込む映像信号高速書き込み部１４を設けたものである。映像信号高速書き込み部１４はたとえば液晶表示パネル８に第２映像信号を書き込む際に、動作クロックを高速にして液晶表示パネル８に高速に第２映像信号を書き込めるようにしたものである。
【００８９】
＜Ｆ−２．動作＞
図１７は映像信号高速書き込み部１４により液晶表示パネル８に高速に第２映像信号を書き込んだ場合のタイミングチャートを示す。このタイミングチャートに示すように、液晶表示パネル８に対し、１垂直同期信号期間よりも高速に第２映像信号を書き込んだ場合（図１７（ｂ））、各フィールドのブランキング期間を長くすることができる。この長くなったブランキング期間をバックライト光源７の点灯時間にあてる、すなわち図１７（ｃ）に示すように、最終ライン液晶応答の応答開始が早くなることによりその応答完了時間も早くなり、点灯開始時間（バックライト光源駆動波形を参照）を早くすることができるので、輝度を高くすることができる。
【００９０】
＜Ｆ−３．効果＞
この発明にかかる実施の形態６によれば、液晶表示装置において、フレームレート変換部３から出力される第２映像信号を１垂直同期信号期間よりも高速に液晶表示パネル８に書き込む映像信号高速書き込み部１４をさらに備えることで、１垂直同期信号期間において長くなったブランキング期間をバックライト光源７の点灯時間にあてることができるので、消灯による輝度を抑制することができる。
【００９１】
＜Ｇ．実施の形態７＞
＜Ｇ−１．構成＞
次に、本発明の実施の形態７について、図１８、図１９および図２０を用いて説明する。
【００９２】
図１８は本実施の形態７の液晶表示装置に係るブロック図で、フレームレート変換部３から奇数ラインと偶数ラインの映像信号を同時に読み出せるようにしたものであり、図１９は本実施の形態７の液晶表示装置に係る液晶表示パネル８の構成図で、ゲートドライバー領域をゲートドライバー１５ａとゲートドライバー１５ｂとにグループ分けをし、それぞれに対応する領域に書き込みを行うソースドライバー１６ａとソースドライバー１６ｂを備える。
【００９３】
ゲートドライバー１５ａとソースドライバー１６ａは液晶表示パネル８の奇数ラインの映像信号書き込みに、ゲートドライバー１５ｂとソースドライバー１６ｂは液晶表示パネル８の偶数ラインの映像信号書き込みに対応し、各グループに対応する領域に第２映像信号を同時に書き込む。
【００９４】
＜Ｇ−２．動作＞
このように構成することで、図２０のタイミングチャートに示すように、奇数、偶数それぞれのラインで書き込むことにより通常の２倍の速さで液晶表示パネル８に第２映像信号を書き込むことができ（図２０（ｂ））、各フィールドのブランキング期間を長くすることができる。この長くなったブランキング期間をバックライト光源７の点灯時間にあてる、すなわち図２０（ｃ）に示すように、最終ライン液晶応答の応答開始が早くなることによりその応答完了時間も早くなり、点灯開始時間（バックライト光源駆動波形を参照）を早くすることができるので、輝度を高くすることができる。
【００９５】
＜Ｇ−３．効果＞
この発明にかかる実施の形態７によれば、液晶表示装置において、液晶表示パネル８は、グループ分けされた複数のゲートドライバー１５ａ，１５ｂと、複数のゲートドライバー１５ａ，１５ｂの各々に対応する領域に第２映像信号の書き込みを行う複数のソースドライバー１６ａ，１６ｂとをさらに備え、複数のソースドライバー１６ａ，１６ｂは、ゲートドライバーの各グループに対応する領域に当該領域に応じた第２映像信号を同時に書き込むことで、例えば奇数、偶数のグループで同時に書きこむと通常の２倍の速さで第２映像信号を書き込むことになり、その分長くなったブランキング期間をバックライト光源７の点灯時間にあてることができるので、消灯による輝度低下を抑制することができる。
【００９６】
ここでは一例として奇数ラインと偶数ラインの２領域に区分する場合を示したが、４ライン毎の４領域やそれ以上に区分した場合も同様であり、区分した領域数が多くなるにしたがって、バックライト光源７の点灯期間は長くなり、輝度アップの効果はあがる。
【００９７】
また、ここでは液晶表示パネル８の上部から順次映像信号を書き込む場合を示したが、液晶表示パネル８の上部と下部の領域にゲートドライバーとソースドライバーを区分して書き込む場合も同様の効果が期待でき、さらに液晶表示パネルの上部、中央部、下部と３領域に区分した場合やそれ以上の領域に区分した場合は輝度アップの効果はあがる。
【００９８】
＜Ｈ．実施の形態８＞
＜Ｈ−１．構成＞
次に、本発明の実施の形態８について、図２１および図２２を用いて説明する。
【００９９】
図２１は本実施の形態８の液晶表示装置に係るブロック図で、さらに備えられた電流制御部１７はバックライト光源７に供給され、バックライト光源７を駆動する電流値を制御する。バックライト光源７は電流制御部１７から制御される電流の値が大きければ輝度が高くなり、電流の値が小さければ輝度が低くなる。
【０１００】
＜Ｈ−２．動作＞
すなわち図２２のタイミングチャートに示すように、点灯および消灯を繰り返している時の点灯の期間にバックライト光源７を駆動する電流の値を大きくするように制御（図２２（ｃ）の間欠点灯時電流を参照）すれば、間欠点灯することで輝度が低下することを抑えることができ、輝度を高くすることができる。他の動作については、前述の実施の形態１と同様である。
【０１０１】
＜Ｈ−３．効果＞
この発明にかかる実施の形態８によれば、液晶表示装置において、２回目以降の第２映像信号に対応する第２タイミングに応じて、バックライト光源７に供給される電流値を制御する電流制御部１７をさらに備えることで、点灯の期間にバックライト光源７を駆動する電流の値を大きくするように電流制御部１７において制御すれば、間欠点灯することで輝度が低下することを抑えることができ、輝度を高くすることができる。
【０１０２】
＜Ｉ．実施の形態９＞
＜Ｉ−１．構成＞
次に、本発明の実施の形態９について、図２３を用いて説明する。
【０１０３】
図２３は本実施の形態９の液晶表示装置に係るブロック図で、バックライト光源７をバックライト光源７ａおよびバックライト光源７ｂに分けたものである。
【０１０４】
ここでバックライト光源７ａは間欠点灯をしない通常のバックライト動作の時および間欠点灯動作時に駆動し、バックライト光源７ｂは間欠点灯をしない通常のバックライト動作の時には駆動せず、間欠点灯動作時のみに駆動するよう設定したものである。
【０１０５】
＜Ｉ−２．動作＞
このように構成することで、間欠点灯の時に点灯するバックライトが増えるので、間欠点灯することで輝度が低下することを抑えることができ、輝度を高くすることができる。
【０１０６】
＜Ｉ−３．効果＞
この発明にかかる実施の形態９によれば、液晶表示装置において、バックライト光源７は複数（バックライト光源７ａ，７ｂ）設けられ、バックライト制御部６は、２回目以降の第２映像信号に対応する第２タイミングに応じて、点灯するバックライト光源の個数を切り換えることで、間欠点灯の時に点灯するバックライトが増えるので、間欠点灯することで輝度が低下することを抑えることができ、輝度を高くすることができる。
【０１０７】
また、通常のバックライト動作の時に、バックライト光源７ａおよびバックライト光源７ｂを交互に点灯、例えばフレーム毎に交互に点灯することで、それぞれのバックライトの寿命（または劣化）を等しくすることができ、バックライトの長寿命化も期待できる。
【０１０８】
また、ここではバックライトを２つに分けた場合を示したが、３つ以上に分けてこまかく制御しても同様の効果が得られる。
【０１０９】
＜Ｊ．実施の形態１０＞
＜Ｊ−１．構成＞
次に、本発明の実施の形態１０について、図２４〜２６を用いて説明する。
【０１１０】
図２４は本実施の形態１０の液晶表示装置に係るブロック図で、液晶表示パネル８にオーバードライブ部１８を備えたものであり、オーバードライブ部１８は液晶表示パネル８に書き込まれる映像信号に映像の実際の階調変化より大きな電圧を一瞬当該液晶にかけて（オーバードライブ）中間階調の応答速度を改善させる。
【０１１１】
オーバードライブは大きくかけた場合液晶の応答が速くなるが、あまり大きくかけると表示画像のエッジ部に影ができたり色付きがでたりするなど画像劣化を生じるため、すべての条件下において常には液晶の応答速度が最小になるようにはかけることができないものであった。
【０１１２】
＜Ｊ−２．動作＞
しかしながら本実施の形態１０の液晶表示装置においては、第１タイミングである各フレームの第１フィールドの１ライン目の液晶応答開始時から第１フィールドの最終ラインの液晶応答終了時までの間をバックライト光源７を消灯させる（図２５（ｃ））ため、第１フィールドの映像に極端に大きなオーバードライブをかけても、この期間は液晶表示パネルは画像を表示していないので、画質劣化として視認されることがない。すなわち第１フィールドの液晶の応答が最小になるようオーバードライブをかけることができる。
【０１１３】
図２５はこのときのタイミングチャートであり、液晶の応答時間が最小になるようにオーバードライブをかけると、液晶表示パネル８におけるそれぞれの液晶の応答に要する時間が短くなるので、最終ライン液晶応答の完了時間が早くなり、バックライト光源７の点灯開始時間が早くなり、バックライト光源７の点灯時間が長くなることがわかる。よって、輝度の低下を防ぐことができる。
【０１１４】
また、ここでは液晶表示パネル８の中にオーバードライブ部１８を備えた場合を示したが、図２６に示すように、液晶表示パネル８の前段にオーバードライブ部１８ａを設け、ここでオーバードライブ処理を映像信号に加えたのち、液晶表示パネル８に出力するようにしても同様の効果が得られる。
【０１１５】
＜Ｊ−３．効果＞
この発明にかかる実施の形態１０によれば、液晶表示装置において、液晶表示パネル８は、当該パネルの液晶に対し、第２映像信号に対応する電圧より大きな電圧をかけオーバードライブするオーバードライブ部１８を備え、オーバードライブは、１回目の第２映像信号に対応する第１タイミングで行われることで、液晶の応答時間が最小になるようにオーバードライブをかけることができ、その分バックライト光源７の点灯時間が長くなるので、第１タイミングにおいて消灯することに伴う輝度の低下を抑制することができる。
【０１１６】
また、この発明にかかる実施の形態１０によれば、液晶表示装置において、第２映像信号に対し、対応する電圧より大きな電圧を導出しオーバードライブするオーバードライブ部１８ａをさらに備え、オーバードライブは、１回目の第２映像信号に対応する第１タイミングで行われることで、液晶の応答時間が最小になるようにオーバードライブをかけることができ、その分バックライト光源７の点灯時間が長くなるので、第１タイミングにおいて消灯することに伴う輝度の低下を抑制することができる。
【符号の説明】
【０１１７】
１  同期検出部、２  フレームメモリ部、３  フレームレート変換部、４  ＣＰＵ、５  バックライトデューティおよび位相制御部、６  バックライト駆動部、７  バックライト光源、８  液晶表示パネル、９  エッジライト（上部）、１０  エッジライト（下部）、１１，１１ａ，１１ｂ，１１ｃ  導光板、１２  エッジライト（サイド）、１３  ダイレクトバックライト、１４  映像信号高速書き込み部、１５  ゲートドライバー、１６  ソースドライバー、１７  電流制御部、１８  オーバードライブ部、１９  補間回路。
【図１】
2010243660.tif 000003
【図２】
2010243660.tif 000004
【図３】
2010243660.tif 000005
【図４】
2010243660.tif 000006
【図５】
2010243660.tif 000007
【図７】
2010243660.tif 000008
【図８】
2010243660.tif 000009
【図９】
2010243660.tif 000010
【図１１】
2010243660.tif 000011
【図１２】
2010243660.tif 000012
【図１３】
2010243660.tif 000013
【図１４】
2010243660.tif 000014
【図１５】
2010243660.tif 000015
【図１６】
2010243660.tif 000016
【図１７】
2010243660.tif 000017
【図１８】
2010243660.tif 000018
【図１９】
2010243660.tif 000019
【図２０】
2010243660.tif 000020
【図２１】
2010243660.tif 000021
【図２２】
2010243660.tif 000022
【図２３】
2010243660.tif 000023
【図２４】
2010243660.tif 000024
【図２５】
2010243660.tif 000025
【図２６】
2010243660.tif 000026
【図６】
2010243660.tif 000027
【図１０】
2010243660.tif 000028